(57)【特許請求の範囲】
【請求項１】
つる性植物の根部分を槽内に収容するとともに、収容された前記根部分に培養液を供給する槽側給液管、及び、余剰の前記培養液を槽外に排出するための槽側排液管が配設された栽培槽と、
前記栽培槽が載置されるとともに、高さ方向における複数箇所に設置された棚部材と、
前記棚部材に載置された前記栽培槽が備える前記槽側給液管と着脱可能に接続される棚側給液管、及び、前記槽側排液管と着脱可能に接続される棚側排液管を有し、
前記棚側給液管及び前記棚側排液管を、前記棚部材における前記栽培槽の載置可能箇所に配設し、繁茂させたつる性植物によって壁面を緑化する壁面緑化装置であって、
前記槽側給液管と前記棚側給液管とは給液管側固定具にて接続状態で固定されるとともに、前記槽側排液管と前記棚側排液管とは排液管側固定具にて接続状態で固定され、
前記給液管側固定具は、
側面視コ字状の弾性金属板で構成された挟持金具を有し、前記挟持金具が備える一対の挟持片によって、前記槽側給液管と前記棚側給液管の各接続端に設けられたフランジ部同士を挟持状態で固定し、
前記排液管側固定具は、
側面視コ字状の弾性金属板で構成された挟持金具を有し、前記挟持金具が備える一対の挟持片によって、前記槽側排液管の接続端と前記棚側排液管の各接続端に設けられたフランジ部同士を挟持状態で固定し、
前記挟持金具は、
前記挟持片の自由端に筒状部分が設けられており、
前記筒状部分は、
第１の挟持金具及び第２の挟持金具が前記給液管側又は前記排液管側のフランジ部同士に取り付けられた状態で同軸上に配置可能な形状に構成され、
前記第１の挟持金具と前記第２の挟持金具の筒状部分同士が同軸上に配置された状態で、同軸上の各筒状部分に挿入可能な固定ピンを有することを特徴とする壁面緑化装置。
【請求項２】
前記棚側給液管に送出される培養液を貯留するとともに前記棚側排液管を通じて流れ込む培養液を受け入れる培養液タンクと、
前記培養液タンクに貯留された培養液を、前記棚側給液管を通じて送出する送液ポンプとを有することを特徴とする請求項１に記載の壁面緑化装置。
【発明の詳細な説明】
【技術分野】
【０００１】
本発明は、建物や塀の外壁面や屋内の壁面などをつる性植物で緑化する壁面緑化装置に関する。
【背景技術】
【０００２】
つる性植物を用いた壁面緑化装置が知られている。例えば、特許文献１には、窓の下辺に沿って培地が配置され、この培地にヘデラへリックス等のつる性植物を植栽することが開示されている。特許文献２には、横長ブロック状の栽培槽を建物の壁面に添ってマトリクス状に配置し、それぞれの栽培槽に灌水管を配設することが開示されている。
【０００３】
また、特許文献３には、複数段の栽培槽に対して個別に培養液を供給するとともに、余剰の培養液を回収して再利用することが開示され、特許文献４には、つる性植物を水耕栽培するシステムが開示されている。
【先行技術文献】
【特許文献】
【０００４】
【特許文献１】特開２００６−２７１２７２号公報
【特許文献２】特開２００４−３５０５２８号公報
【特許文献３】特開２０１０−８８４２５号公報
【特許文献４】特開２０１０−１７８６９１号公報
【発明の概要】
【発明が解決しようとする課題】
【０００５】
壁面緑化装置では、つる性植物の植栽密度を調整したり、植栽されたつる性植物のトラブルに対応したりすることがある。ここで、特許文献１に記載された装置では、培地を収容する容器として上面に開口部を備えた管状部材を用いているが、管状部材の配置や交換については考慮されていなかった。同様に、特許文献２〜４に開示された装置でも、栽培槽の配置や交換については考慮されていなかった。
【０００６】
このため、植栽密度の調整やつる性植物のトラブル対応を行う際には、植栽されたつる性植物を直接植え替える等の対応をしなければならず、作業が困難になってしまうという問題があった。
【０００７】
また、特許文献４のシステムでは、ポットに植栽されたつる性植物のポット部分を栽培槽に収容しているので、つる性植物をポット毎に扱うことができ、他の装置よりも利便性が高いといえる。しかし、ポットを単位にしているので多くのつる性植物を扱う場合には作業が困難になってしまう虞がある。
【０００８】
本発明はこのような事情に鑑みてなされたものであり、その目的は、植栽密度の調整やつる性植物のトラブル対応などの各種作業を行う際において、当該作業の容易化を図ることにある。
【課題を解決するための手段】
【０００９】
前記目的を達成するため、本発明は、つる性植物の根部分を槽内に収容するとともに、収容された前記根部分に培養液を供給する槽側給液管、及び、余剰の前記培養液を槽外に排出するための槽側排液管が配設された栽培槽と、前記栽培槽が載置されるとともに、高さ方向における複数箇所に設置された棚部材と、前記棚部材に載置された前記栽培槽が備える前記槽側給液管と着脱可能に接続される棚側給液管、及び、前記槽側排液管と着脱可能に接続される棚側排液管を有し、前記棚側給液管及び前記棚側排液管を、前記棚部材における前記栽培槽の載置可能箇所に配設し、繁茂させたつる性植物によって壁面を緑化する壁面緑化装置であって、前記槽側給液管と前記棚側給液管とは給液管側固定具にて接続状態で固定されるとともに、前記槽側排液管と前記棚側排液管とは排液管側固定具にて接続状態で固定され、前記給液管側固定具は、側面視コ字状の弾性金属板で構成された挟持金具を有し、前記挟持金具が備える一対の挟持片によって、前記槽側給液管と前記棚側給液管の各接続端に設けられたフランジ部同士を挟持状態で固定し、前記排液管側固定具は、側面視コ字状の弾性金属板で構成された挟持金具を有し、前記挟持金具が備える一対の挟持片によって、前記槽側排液管の接続端と前記棚側排液管の各接続端に設けられたフランジ部同士を挟持状態で固定し、前記挟持金具は、前記挟持片の自由端に筒状部分が設けられており、前記筒状部分は、第１の挟持金具及び第２の挟持金具が前記給液管側又は前記排液管側のフランジ部同士に取り付けられた状態で同軸上に配置可能な形状に構成され、前記第１の挟持金具と前記第２の挟持金具の筒状部分同士が同軸上に配置された状態で、同軸上の各筒状部分に挿入可能な固定ピンを有することを特徴とする。
【００１０】
本発明によれば、棚側給液管及び棚側排液管が棚部材における栽培槽の載置可能箇所に配設され、槽側給液管と棚側給液管及び槽側排液管と棚側排液管とが着脱可能に接続されているので、栽培槽を単位とした着脱作業が可能になる。これにより、植栽密度の調整やつる性植物のトラブル対応を行う際に、栽培槽単位でつる性植物を移動させたり、交換したりすることができるので、作業の容易化が図れる。
【００１１】
また、本発明では、フランジ部と固定具の組み合わせによって、槽側給液管と棚側給液管、及び、槽側排液管と棚側排液管を接続しているので、簡単な構造で管同士を確実に接続することができる。
【００１２】
また、本発明では、給液管側固定具及び排液管側固定具に側面視コ字状の挟持金具を用いているので、簡単な構造で管同士を確実に接続することができる。
【００１３】
さらに、本発明では、一対の挟持金具が備える筒状部分同士を固定ピンで連結しているので、簡単な構造で管同士を確実に接続することができる。
【００１４】
前述の壁面緑化装置において、前記棚側給液管に送出される培養液を貯留するとともに前記棚側排液管を通じて流れ込む培養液を受け入れる培養液タンクと、前記培養液タンクに貯留された培養液を、前記棚側給液管を通じて送出する送液ポンプとを有することが好ましい。この装置では、培養液を循環使用しているので、限られた量の培養液を有効に使用することができる。
【発明の効果】
【００１５】
本発明によれば、壁面緑化装置で植栽されるつる性植物の密度を調整したり、植栽されたつる性植物のトラブルに対応する際において、栽培槽単位でつる性植物を移動させたり、交換したりすることができるので、作業の容易化が図れる。
【図面の簡単な説明】
【００１６】
【図１】壁面緑化装置の全体構成を示す斜視図である。
【図２】壁面緑化装置の棚、支柱、棚側給液管、及び、棚側排液管等を示す斜視図である。
【図３】培養液の循環系統を説明する図である。
【図４】培養液生成部の構成を説明する図である。
【図５】栽培槽の内部構造を説明する断面図である。
【図６】槽側給液管（槽側排液管）と棚側給液管（棚側排液管）の接続を説明する図である。
【発明を実施するための形態】
【００１７】
以下、本発明の実施形態について説明する。図１に示す壁面緑化装置１は、棚部１０と、培養液循環部２０と、栽培槽３０とを有し、建物２の外壁面に添って設置される。そして、繁茂させたつる性植物３によって壁面を緑化する。
【００１８】
図２に示すように、棚部１０は、棚板１１と、台座１２と、支柱１３とを有している。棚板１１は、栽培槽３０が載置される棚部材に相当し、長尺の矩形状板材によって構成されている。この棚板１１は、支柱１３によって、高さ方向に位置を異ならせた状態で複数枚取り付けられている。なお、高さ方向における棚板１１の配置間隔は、栽培槽３０の高さよりも広くなるように定められている。
【００１９】
台座１２は、支柱１３を載せておく台であり、本実施形態では１つの台座１２に２本の支柱１３が立設されている。そして、この台座１２が横並びに４つ配置されている。支柱１３は、棚板１１を所定高さで支えるための棒状部材である。本実施形態では、８本の支柱１３が用いられており、４本が棚板１１における一方の長辺に添って等間隔で配置され、残りの４本が他方の長辺に添って等間隔で配置されている。
【００２０】
図１に示すように、隣り合う支柱１３同士の間隔（棚板１１の長手方向の間隔）は、栽培槽３０の幅よりも若干広く定められている。これにより、栽培槽３０の正面（つる性植物３が通る開口３１が設けられた面）が隣り合う支柱１３同士から臨むこととなり、開口３１から伸びるつる性植物３の垂下に支障が生じないようにしている。
【００２１】
本実施形態の棚部１０では、棚板１１の長手方向に最大３個の栽培槽３０を設置することが可能である。また、合計１１枚の棚板１１を配置しているので、高さ方向に最大１０個の栽培槽３０を設置することが可能である。従って、棚部１０における栽培槽３０の載置可能箇所は合計で３０箇所となる。そして、これらの載置可能箇所が３×１０のマトリクス状（行列状）に配置される。
【００２２】
培養液循環部２０は、つる性植物３の生育に用いられる培養液を循環させる部分である。図３に示す循環系統は、棚側給液管２１と、棚側排液管２２と、培養液生成部２３とを有している。
【００２３】
図２及び図３に示すように、棚側給液管２１は、主管部２１ａと、分岐管部２１ｂと、接続管部２１ｃとを有している。主管部２１ａは、培養液生成部２３から各棚板１１までを連通する部分であり、本実施形態では各棚板１１における一方の側面（図２では右側の側面）に回り込んだ後、上方向に設けられている。分岐管部２１ｂは、各棚板１１の高さ位置で主管部２１ａから分岐された部分であり、棚板１１の下面に添って棚板１１の長手方向に延びている。接続管部２１ｃは、分岐管部２１ｂから栽培槽３０までを連通する部分であり、栽培槽３０の載置可能箇所に対応して設けられている。
【００２４】
棚側排液管２２もまた、主管部２２ａと、分岐管部２２ｂと、接続管部２２ｃとを有している。主管部２２ａは、各棚板１１から培養液生成部２３までを連通する部分であり、本実施形態では棚板１１における他方の側面（図２では左側の側面）にて下方向へ設けられている。分岐管は、各棚板１１の高さ位置に設けられた部分であり、接続管部２２ｃから流れてきた培養液を主管部２２ａへと導く。この分岐管部２２ｂは、各棚板１１の上面に配置されている。接続管部２２ｃは、栽培槽３０から分岐管部２２ｂまでを連通する部分であり、栽培槽３０の載置可能箇所に対応して設けられている。本実施形態では、栽培槽３０が備える槽側排液管３６が栽培槽本体３２の両側面から突出されているので、接続管部２２ｃは１つの栽培槽３０に対して２つ設けられている。
【００２５】
従って、図３に示すように、本実施形態の培養液循環部２０では、培養液生成部２３に貯留された培養液は、棚側給液管２１の主管部２１ａ、分岐管部２１ｂ、及び、接続管部２１ｃを通って各栽培槽３０に流入し、つる性植物３の根部分３ａ（図５参照）に供給される。そして、各栽培槽３０の槽側排液管３６から排出された余剰の培養液は、棚側排液管２２の接続管部２２ｃ、分岐管部２２ｂ、及び、主管部２２ａを通って培養液生成部２３に戻される。これにより、限られた量の培養液を有効に使用することができる。
【００２６】
なお、本実施形態において、栽培槽３０は、棚側給液管２１及び棚側排液管２２に対して着脱可能に構成されている。このため、棚側給液管２１における栽培槽３０側の端部、及び、棚側排液管２２における栽培槽３０側の端部にはバルブ２４が設けられている。このバルブ２４は、栽培槽３０が棚側給液管２１と棚側排液管２２との間に設置された状態で開放され、培養液の流通を許容する。一方、栽培槽３０が取り外された状態では閉じられ、培養液の流通を阻止する。
【００２７】
図４に示すように、培養液生成部２３は、培養液タンク２３ａと、送液ポンプ２３ｂと、濃縮液タンク２３ｃと、混合器２３ｄとを有している。
【００２８】
培養液タンク２３ａは、栽培槽３０との間で循環される培養液を貯留する容器である。この培養液タンク２３ａには棚側給液管２１（主管部２１ａ）の下端、及び、棚側排液管２２（主管部２２ａ）の下端が挿入されている。なお、棚側給液管２１の下端は培養液タンク２３ａの底面付近に位置しており、ストレーナ２３ｅが設けられている。また、棚側排液管２２の下端は培養液タンク２３ａの上部に位置している。送液ポンプ２３ｂは、棚側給液管２１の途中に設けられており、培養液タンク２３ａに貯留された培養液を、棚側給液管２１を通じて栽培槽３０へ向けて送出する。
【００２９】
濃縮液タンク２３ｃは、培養液の基となる濃縮液を貯留する。濃縮液タンク２３ｃに貯留された濃縮液は、混合器２３ｄによって吸い出される。混合器２３ｄは、水道水と濃縮液とを所定の割合で混合することで培養液を生成する。混合器２３ｄは、培養液タンク２３ａに貯留された培養液の量が下限レベルよりも低くなった場合に動作し、培養液の量を規定レベルまで増量させる。なお、培養液の貯留量については、フロート（図示せず）等の検出手段によって検出される。
【００３０】
次に、栽培槽３０について説明する。図５に示すように、栽培槽３０は、直方体状の外観形状をしており、内部に空洞を有する箱体によって構成されている。この栽培槽３０は、上面が開放された直方体状の栽培槽本体３２と、栽培槽本体３２の上面開口を上方から覆う蓋体３３とを有している。
【００３１】
栽培槽本体３２の内部には培地３４が収容されており、この培地３４にはつる性植物３が植栽されている。培地３４は、つる性植物３の生育に適した水はけのよいものが用いられる。例えば、天然ゼオライト培地、バーミキュライト培地、日向土培地が用いられる。また、つる性植物３としては、例えば多年生のものが用いられる。耐寒性及び耐暑性に優れ、また垂下性を有するという観点からウコギ科のつる性植物３が好適に用いられる。ウコギ科のつる性植物３としては、ヘデラ・ヘリックス、ヘデラ・アルジェニシス、ヘデラ・コルシカ、ヘデラ・ハイバニカ等が挙げられる。
【００３２】
図１に示すように、栽培槽３０の正面（長尺側の側面）には、植栽されたつる性植物３のつる部分が通る横長矩形状の開口３１が設けられている。栽培槽３０に植栽されたつる性植物３は、この開口３１を通じて栽培槽３０の外側へと伸びて垂下する。すなわち、つる性植物３の根部分３ａは栽培槽３０の内部に収容され、根部分３ａよりも先端側の大部分が栽培槽３０の外で垂下されている。
【００３３】
図５に示すように、栽培槽３０の内部には、槽側給液管３５と槽側排液管３６が設けられている。槽側給液管３５は、栽培槽３０に収容されたつる性植物３の根部分３ａに培養液を供給するための部材であり、有孔管によって作製されている。この槽側給液管３５は、栽培槽３０の内部空間における上面付近に、栽培槽３０の長手方向に設けられている。槽側給液管３５の一端は、栽培槽３０の側面から外側に突出されており、棚側給液管２１の端部（接続管部２１ｃ）と接続されている。そして、槽側給液管３５と棚側給液管２１とは給液管側固定具４１によって固定され、接続状態が維持されている。
【００３４】
槽側排液管３６は、余剰の前記培養液を槽外に排出するための部材であり、有孔管によって作製されている。この槽側排液管３６は、栽培槽３０の内部空間における底面付近に、栽培槽３０の長手方向に設けられている。槽側排液管３６の両端は、栽培槽３０の両側面から外側に突出されており、それぞれが棚側排液管２２の端部（接続管部２２ｃ）と接続されている。そして、槽側排液管３６と棚側排液管２２とは排液管側固定具４２によって固定され、接続状態が維持されている。
【００３５】
次に、図６を参照して槽側給液管３５と棚側給液管２１の接続構造、及び、槽側排液管３６と棚側排液管２２の接続構造について説明する。なお、給液管側と排液管側の接続構造は同じであるため、図６では、給液管側の部材に対応する符号と排液管側の部材に対応する符号とを併記している。
【００３６】
まず、給液管側の接続構造について説明する。図６（ａ）〜（ｅ）に示すように、槽側給液管３５と棚側給液管２１（接続管部２１ｃ）とは給液管側固定具４１にて接続状態で固定される。本実施形態では、槽側給液管３５の接続端にフランジ部ＦＬ１が設けられている。同様に、棚側給液管２１の接続端にもフランジ部ＦＬ２が設けられている。これらのフランジ部ＦＬ１，ＦＬ２は、給液管の半径方向に張り出した円盤状をしている。
【００３７】
これらのフランジ部ＦＬ１，ＦＬ２が当接する当接面には、突条ＲＢ及び凹溝ＣＨが形成されている。本実施形態では、棚側給液管２１のフランジ部ＦＬ２に突条ＲＢが形成され、槽側給液管３５のフランジ部ＦＬ１に凹溝ＣＨが形成されている。突条ＲＢと凹溝ＣＨの組は、各フランジ部ＦＬ１，ＦＬ２の半径方向に２つ形成されており、互いに嵌合する。突条ＲＢと凹溝ＣＨが嵌合することで、フランジ部ＦＬ１，ＦＬ２同士の周方向の位置ずれや半径方向の位置ずれが防止される。また、Ｏリング（図示せず）が配設されることにより、境界部分からの培養液の漏れが抑制される。
【００３８】
給液管側固定具４１は、一組の挟持金具４１ａ，４１ｂと、固定ピン４１ｃとを有している。挟持金具４１ａ，４１ｂは、弾性を有する金属板から作製されている。すなわち、金属板を側面視コ字状に屈曲させることで、一対の挟持片ｘａ，ｘｂと弾性支持部ｘｃとが形成されている。そして、一方の挟持片ｘａの自由端と他方の挟持片ｘｂの自由端の間隔は、接続状態のフランジ部ＦＬ１，ＦＬ２の厚さよりも狭く定められている。弾性支持部ｘｃは、一対の挟持片ｘａ，ｘｂの基端同士を連結する湾曲部分である。この弾性支持部ｘｃがたわみ変形されることで、各挟持片ｘａ，ｘｂの自由端同士の間隔を容易に拡げることができる。また、弾性支持部ｘｃの復元力により、拡げられた自由端同士を元の位置に戻すことができる。
【００３９】
また、各挟持片ｘａ，ｘｂの自由端は円筒状に巻かれており、筒状部分ｘｄ，ｘｅが形成されている。この筒状部分ｘｄ，ｘｅは、固定ピン４１ｃが挿入される空部を区画する部分であり、一方の挟持片ｘａに形成された筒状部分ｘｄが円筒の中心軸方向に２つ間隔を空けて設けられ、他方の挟持片ｘｂに形成された筒状部分ｘｅがその間に嵌る位置に設けられている。さらに、各挟持片ｘａ，ｘｂには、各給液管２１ｃ，３５の外形にあわせて切り欠かれた半円状の切り欠き部ｘｆが設けられている。この切り欠き部ｘｆによって、挟持金具４１ａ，４１ｂを接続状態のフランジ部ＦＬ１，ＦＬ２に取り付けた際に、各給液管２１ｃ，３５が各挟持片ｘａ，ｘｂに当接して干渉する不具合を防止している。
【００４０】
図６（ａ），（ｂ）に示すように、各挟持金具４１ａ，４１ｂを接続状態のフランジ部ＦＬ１，ＦＬ２に取り付ける場合には、各挟持片ｘａ，ｘｂを押し拡げながら各挟持金具４１ａ，４１ｂをフランジ部ＦＬ１，ＦＬ２の中心側に押し込む。このとき、一方の挟持金具（第１の挟持金具）４１ａと他方の挟持金具（第２の挟持金具）４１ｂとを対向する向き（１８０度間隔）から押し込む。そして、図６（ｃ），（ｄ）に示すように、一方の挟持片ｘａが有する２つの筒状部分ｘｄの間に、他方の挟持片ｘｂが有する筒状部分ｘｅが嵌るまで、各挟持金具４１ａ，４１ｂを押し込む。これにより、各挟持金具４１ａ，４１ｂが備える筒状部分ｘｅ，ｘｄが同軸上に配置される。その後、図６（ｄ），（ｅ）に示すように、各筒状部分ｘｅ，ｘｄを貫くように固定ピン４１ｃを挿入し固定する。その結果、接続状態のフランジ部ＦＬ１，ＦＬ２が給液管側固定具４１によって固定される。
【００４１】
以上は給液側の固定に関する説明であるが、排液側の固定も同様である。すなわち、排液管側固定具４２は、側面視コ字状の弾性金属板で構成された一対の挟持金具４２ａ，４２ｂを有しており、各挟持金具４２ａ，４２ｂが備える一対の挟持片ｘａ，ｘｂによって排液管側のフランジ部ＦＬ１，ＦＬ２同士を挟持する。そして、一対の挟持金具４２ａ，４２ｂが取り付けられると、各挟持金具４２ａ，４２ｂが備える筒状部分ｘｄ，ｘｅが同軸上に位置する。この状態で固定ピン４２ｃを筒状部分ｘｄ，ｘｅに挿入し、各筒状部分ｘｄ，ｘｅを連結することで一対の挟持金具４２ａ，４２ｂを固定する。
【００４２】
以上のように構成された壁面緑化装置１では、栽培槽３０の内部に、つる性植物３が植栽される培地３４を収容するともに、つる性植物３に培養液を供給する槽側給液管３５と、余剰の培養液を槽外に排出するための槽側排液管３６とが配設されている。そして、棚板１１における栽培槽３０の載置予定箇所には、槽側給液管３５及び槽側排液管３６と着脱可能に構成された棚側給液管２１（接続管部２１ｃ）及び棚側排液管２２（接続管部２２ｃ）が配設されている。
【００４３】
この構成では、栽培槽３０を単位とした着脱作業が可能になる。このため、植栽密度の調整やつる性植物３のトラブル対応を行う際に、栽培槽３０単位でつる性植物３を移動させたり、交換したりすることができる。例えば、壁面緑化装置１の設置時につる性植物３の密度が設計と異なる部分が生じてしまった場合に、その部分の栽培槽３０を、異なる密度につる性植物３が植生された他の栽培槽３０に交換するだけで、植生密度を調整することができる。このように栽培槽３０の交換で植生密度を調整できるので、作業の容易化を図ることができる。
【００４４】
また、或る栽培槽３０を、つる性植物３の長さが短い栽培槽３０に交換することにより、壁面においてつる性植物３で覆われていない部分を積極的に作り出すことができ、壁面緑化装置１の設置後においても、任意の部分について日照を確保したり、通風性を向上させたりすることが容易に行える。加えて、つる性植物３の長さが異なる複数の栽培槽３０を適宜配置することで、壁面の各部において、つる性植物３で覆われている度合いを異ならせることができ、壁面に意匠性を持たせることもできる。すなわち、壁面を緑化しつつデザイン性を高めることが容易に行える。
【００４５】
また、栽培槽３０の着脱が給液管側固定具４１や排液管側固定具４２によってなされるので、簡単な構成で管同士を確実に接続することができる。特に、前述の実施形態では、側面視コ字状の弾性金属板で構成された挟持金具４１ａ〜４２ｂでフランジ部ＦＬ１，ＦＬ２同士を挟持しているので、構成の一層の簡素化が図れる。加えて、挟持片ｘａ，ｘｂの自由端に筒状部分ｘｄ，ｘｅを設け、筒状部材ｘｄ，ｘｅ同士を固定ピン４１ｃ，４２ｃで連結しているので、簡単な構造で一対の挟持金具４１ａ〜４２ｂを確実に固定することができる。
【００４６】
以上の実施形態の説明は、本発明の理解を容易にするためのものであり、本発明を限定するものではない。本発明はその趣旨を逸脱することなく、変更、改良され得ると共に本発明にはその等価物が含まれる。例えば、次のように構成してもよい。
【００４７】
前述の実施形態では、側面視コ字状の挟持金具４１ａ〜４２ｂと固定ピン４１ｃ，４２ｃとを用いてフランジ部ＦＬ１，ＦＬ２同士を固定していたが、これに限定されるものではない。例えば、クランプ型継手を用いてもよい。また、一対の挟持金具４１ａ〜４２ｂを用いてフランジ部ＦＬ１，ＦＬ２同士を固定していたが、これに限らず１つの挟持金具でフランジ部ＦＬ１，ＦＬ２同士を固定してもよい。
【００４８】
前述の実施形態では、栽培槽３０の載置可能箇所が３×１０のマトリクス状に配置されていたが、載置可能箇所の配置はこれに限られず、必要に応じて定めることができる。
【００４９】
前述の実施形態では、棚板１１を用いていたが、棚板１１に代えて平行に配置された複数本のパイプを用いてもよい。要するに、栽培槽が載置される棚部材であればよい。
【００５０】
前述の実施形態では、壁面緑化装置１を建物２の外壁面に添って設置していたが、これに限らず敷地境界を区画するための塀として用いてもよい。この場合、繁茂させたつる性植物３によって塀の外側面を緑化できる。
【００５１】
前述の実施形態では、栽培槽３０内の培地３４につる性植物３を直接植栽していたが、ポットに植栽されたつる性植物３を栽培槽３０に収容してもよい。また、培養液に関し、濃縮液を水道水で希釈したものを例示したが、単なる水を培養液として用い、必要に応じて栄養素を添加するようにしてもよい。
【符号の説明】
【００５２】
１…壁面緑化装置，２…建物，３…つる性植物，３ａ…根部分，１０…棚部，１１…棚板，１２…台座，１３…支柱，２０…培養液循環部，２１…棚側給液管，２１ａ…主管部，２１ｂ…分岐管部，２１ｃ…接続管部，２２…棚側排液管，２２ａ…主管部，２２ｂ…分岐管部，２２ｃ…接続管部，２３…培養液生成部，２３ａ…培養液タンク，２３ｂ…送液ポンプ，２３ｃ…濃縮液タンク，２３ｄ…混合器，２３ｅ…ストレーナ，２４…バルブ，３０…栽培槽，３１…開口，３２…栽培槽本体，３３…蓋体，３４…培地，３５…槽側給液管，３６…槽側排液管，４１…給液管側固定具，４１ａ…挟持金具，４１ｂ…挟持金具，４１ｃ…固定ピン，４２…排液管側固定具，４２ａ…挟持金具，４２ｂ…挟持金具，４２ｃ…固定ピン，ＦＬ１…フランジ部，ＦＬ２…フランジ部，ＲＢ…突条，ＣＨ…凹溝，ｘａ…挟持金具の挟持片，ｘｂ…挟持金具の挟持片，ｘｃ…挟持金具の弾性支持部，ｘｄ…挟持片の筒状部分，ｘｅ…挟持片の筒状部分，ｘｆ…挟持片の切り欠き部
【図１】
0005555273.tif 000002
【図２】
0005555273.tif 000003
【図３】
0005555273.tif 000004
【図４】
0005555273.tif 000005
【図５】
0005555273.tif 000006
【図６】
0005555273.tif 000007